(57)【要約】【課題】充電した状態で操作可能な折り畳み式通信装置及び充電器を提供する。【解決手段】通信装置を充電器４００の載置穴４０１に載置すると共に充電器４００の支持部４０２が通信装置が後方に倒れるのを防ぎ、又、前記通信装置のヒンジ部は通信装置の底面ではなく、底面から上方へ数センチメートル離れた位置に存在する為、通信装置の第２の筐体２００を矢印Ｂ方向に開くことが可能である。更に、第２の筐体２００は充電器４００の前方部分に当接することにより所定の角度で開いた状態を維持する。【選択図】      図８
2004312100.tif 000002
【特許請求の範囲】
【請求項１】
上部筐体と、下部筐体と、前記両筐体を開閉可能に軸支する左右一対のヒンジとを有する折り畳み式通信装置において、
前記上部筐体の底部を充電器に嵌入し、折り畳み式通信装置のバッテリを充電可能であり、
前記下部筐体は前記夫々のヒンジ方向に延在すると共に延在する一端が前記ヒンジの回動支点となる左右一対のアームを備え、
前記ヒンジの回動支点を前記充電器に嵌入する部分を除く位置に形成することを特徴とする折り畳み式通信装置。
【請求項２】
前記下部筐体は、前記上部筐体の底部を前記充電器に嵌入した状態で開いた際に露出する位置に入力部を有することを特徴とする請求項１記載の折り畳み式通信装置。
【請求項３】
前記上部筐体は、前記上部筐体の底部を前記充電器に嵌入した状態で前記下部筐体を開いた際に露出する位置に表示部を有することを特徴とする請求項１又は２記載の折り畳み式通信装置。
【発明の詳細な説明】
【０００１】
【発明の属する技術分野】
本発明は、受話部を有する上部筐体と送話部を有する下部筐体とがヒンジを軸に相互に回転して開閉可能に構成された折り畳み式通信装置に関するものである。
【０００２】
【従来の技術】
携帯電話機に代表される無線端末装置の一形態として折り畳み式の装置がある。その構成として例えば、特許文献１の折り畳み式携帯電話機が挙げられる。この折り畳み式携帯電話機は、表示部及び受話部を備える第１の筐体と開口部及び送話部を備える第２の筐体とがヒンジを軸に相互に回転して折り畳み可能に構成され、筐体を閉じた際に第２の筐体に形成された開口部を通じてユーザが外部から前記第１の筐体に配置された表示部の一部を見ることが可能である。
【０００３】
又、携帯電話を縦向きに充電可能な充電器も提案されている（例えば、特許文献２参照）。
【０００４】
【特許文献１】
特開２０００−２４４６１６号公報（第２〜３頁及び図１、図３参照）
【特許文献２】
特開平７−１３１５０８号公報（第３〜４頁及び図２、図４参照）
【０００５】
【発明が解決しようとする課題】
特許文献２に記載されている充電器に例えば特許文献１に記載のような折り畳み式携帯電話を充電可能とする構成にすると、折り畳み式携帯電話を折り畳んだ状態で縦向きに充電することは可能であっても、携帯電話を充電器に載置した状態では携帯電話のヒンジ部或いは開閉部分が充電器に嵌め込まれる為、筐体を開閉することができない。
【０００６】
この為、折り畳み式の携帯電話を縦向きに充電した状態では、メールの入力操作や送受信操作といった各種操作が行えず、非常に使い勝手が悪い。
【０００７】
【課題を解決するための手段】
本発明は、折り畳み式の通信装置であっても、ユーザが充電した状態で筐体を開き操作を行うことを可能とするものであり、請求項１記載の折り畳み式通信装置は、上部筐体と、下部筐体と、前記両筐体を開閉可能に軸支する左右一対のヒンジとを有する折り畳み式通信装置において、前記上部筐体の底部を充電器に嵌入し、折り畳み式通信装置のバッテリを充電可能であり、前記下部筐体は前記夫々のヒンジ方向に延在すると共に延在する一端が前記ヒンジの回動支点となる左右一対のアームを備え、前記ヒンジの回動支点を前記充電器に嵌入する部分を除く位置に形成することを特徴とする。
【０００８】
このような構成とすることにより、通信装置を充電器に載置した状態で、下部筐体を開くことが可能である為、通信装置のバッテリを充電した状態でメール等の操作をユーザが行うことが可能である。
【０００９】
請求項２記載の折り畳み式通信装置は、前記下部筐体は、前記上部筐体の底部を前記充電器に嵌入した状態で開いた際に露出する位置に入力部を有することを特徴とする。
【００１０】
このような構成とすることにより、通信装置を充電器に載置した状態で、下部筐体を開き、下部筐体に配置されている入力部を操作することが可能である為、通信装置のバッテリを充電した状態でメール等の操作をユーザが行うことが可能である。
【００１１】
請求項３記載の折り畳み式通信装置は、前記上部筐体は、前記上部筐体の底部を前記充電器に嵌入した状態で前記下部筐体を開いた際に露出する位置に表示部を有することを特徴とする。
【００１２】
このような構成とすることにより、通信装置を充電器に載置した状態で下部筐体を開き、表示部を見ながら通信装置のバッテリを充電した状態でメール等の操作をユーザが行うことが可能である。
【００１３】
【発明の実施の形態】
本実施例装置は、表示部を有する第１の筐体とテンキー等を有する第２の筐体とをヒンジ部を介して接続すると共に、前記第２の筐体のヒンジ部近傍に開放部を形成し、更に前記第１の筐体の底部を除く部分にヒンジ部を形成し、通信装置を充電器に載置した状態で第２の筐体を開くことを可能とするものである。
【００１４】
以下に本発明の実施形態について図面を参照して説明する。図１は筐体を開いた状態での折り畳み式通信装置の外観斜視図、図４は筐体を閉じた状態での折り畳み式通信装置の外観斜視図を示している。
【００１５】
図１において、本実施例装置は第１の筐体１００と第２の筐体２００とからなり、前記第１の筐体１００と前記第２の筐体２００はヒンジ部３００を介して接続されており、図１中矢印Ａ又は矢印Ｂ方向に開閉可能である。
【００１６】
前記第１の筐体１００には、スピーカ１１０と、例えば液晶表示装置からなる表示部１２０と、通話ボタン１３０、終話ボタン１４０、決定ボタン１５０等が配置されている。
【００１７】
一方、前記第２の筐体２００には、マイク２１０と、テンキー２２０が配置されている。
【００１８】
図２は、図１に示す第１の筐体１００の斜視図を示している。図２において、第１の筐体１００のヒンジ部３００付近両端には、穴部１６０が形成されており、前記穴部１６０に後述する第２の筐体２００の突部２４０が挿入されることにより、前記第１の筐体１００と前記第２の筐体２００とが接続される。又、第１の筐体１００内部に形成された基板（図示せず）と第２の筐体２００内部に形成された基板（図示せず）とが、前記穴部１６０に挿通されたケーブル１７０によって電気的に接続されている。
【００１９】
図３は、図１に示す第２の筐体２００の斜視図を示している。図３において、第２筐体２００は略凹状の形状となっており、前記第２の筐体２００の下部には開放構造となるべく開放部２３０が形成されている。
【００２０】
又、前記ヒンジ部３００の両端には突部２４０が形成されており、前記２つの突部２４０は互いにヒンジ部３００内方（開放部２３０側）に突出するように形成され、前記突部２４０は図２に示す穴部１６０に枢着されることにより第１の筐体１００と第２の筐体２００がヒンジ部３００を軸にして回動可能に接続される。
【００２１】
前記突部２４０の略中央にはケーブル穴部２５０が形成されており、前記ケーブル穴部２５０には、前記第１の筐体１００に形成された穴部１６０に挿通されたケーブル１７０が挿通される。
【００２２】
図４は、図１に示す折り畳み式通信装置を折り畳んだ状態を示す図、即ち、図１に示す折り畳み式通信装置の第２の筐体２００を矢印Ａ方向に閉じた状態を示している。
【００２３】
図４に示すように、筐体を折り畳んだ状態であっても、第２の筐体２００には開放部２３０が形成されている為、表示部１２０の一部が露出した状態となる。前記表示部１２０の一部を例えば着信時に電話番号や氏名を表示する領域にすると、筐体を閉じた状態でもユーザはだれからの着信であるかを認識することが可能であるだけでなく、電話番号や氏名を表示する為の表示部を別途設ける必要がない為にコストを削減することが可能である。
【００２４】
又、本実施例装置では、筐体を開いた際に第２の筐体２００が所定の位置で停止する為の独自の構成を実現している。
【００２５】
携帯電話を開く際には、図１に示すように第２の筐体２００を矢印Ｂ方向に開こうとする。しかし、本実施例装置では、前記第２の筐体２００が図１に示す位置で停止する為の抑制部１８０が前記第１の筐体１００に形成されており、前記第２の筐体２００を図４に示す閉じた状態から図１の矢印Ｂの方向に開こうとすると、前記第２の筐体２００のヒンジ部３００近傍部分が前記第１の筐体１００の抑制部１８０分に当接する為、前記第２の筐体２００が図１に示す位置で停止することとなる。又、第２の筐体２００の開放部２３０が第１の筐体１００の底部近傍（通話キー１３０等のキー配置部分）に嵌め込まれる為、第２の筐体２００を所定の角度で開いた状態に保つことが可能である。即ち、第２の筐体２００のマイク２１０がユーザの発する音声を拾いやすい角度にすることが可能である。
【００２６】
以下前記抑制部１８０についてより詳細に説明する。
【００２７】
図５は、図１に示す折り畳み式通信装置を矢印Ｃ方向から見た右側面図である。
【００２８】
図５に示すように、第１の筐体１００に形成されている抑制部１８０は、前記第１の筐体１００の上面（表示部１２０側の面）と比較して傾斜した構造となっている。この為、筐体を開いた際には前記第２の筐体２００が前記第１の筐体１００上面と同一平面上に存在せず、前記第２の筐体２００は前記第１の筐体１００上面に対して約１２〜１５度の角度（図５のＤで示す角度）で開いた状態となる。
【００２９】
このように第２の筐体２００が前記第１の筐体１００上面に対して所定の角度で位置することにより、ユーザが通話する際に、第２の筐体２００に配置されたマイク２１０をユーザの発する声を拾いやすい位置とすることができる。
【００３０】
又、抑制部１８０は、図５に示すように第１筐体１００下方へと延在している。この為、第２筐体２００のヒンジ部３００近傍部分が折れにくいようになっている。詳しく説明すると、抑制部１８０が図５に示すａまでの長さしかない場合には、筐体を開いた際に第２筐体２００のヒンジ部３００近傍部分のｂ部分（第２筐体２００の最も厚さが薄い部分）に集中して力が加わる。一方、本実施例装置の如く抑制部１８０が図５に示すｃ部分までの長さがあると、筐体を開く際に第２筐体２００のヒンジ部３００近傍部分にかかる力は、図５のｂ部分とｄ部分のい間に分散される。また、細長い部分への大きな集中力を避けることができる。従って本実施例装置では、第２筐体２００のヒンジ部３００近傍部分が折れにくい構成となっている。
【００３１】
図６は、図４に示す折り畳み式通信装置を充電器４００に載置した状態を示す正面図である。又、図７は充電器４００に折り畳み式通信装置を載置して第２の筐体２００を開いた状態を横から見た図を示している。
【００３２】
図８は、図７に示す充電器４００の断面図を示しており、前記充電器４００には通信装置を載置する為の載置穴４０１が形成されている。又、充電器４００の後方には、通信装置が後方に倒れないように通信装置を支持する為の指示部４０２が形成されている。尚、通信装置の充電端子（図示せず）は通信装置の底面に形成されており、前記通信装置の充電端子は前記載置穴４０１の底面に形成された充電端子（図示せず）と電気的に接続することにより、通信装置のバッテリが充電される。
【００３３】
図７及び図８に示すように、通信装置を載置穴４００に挿入することにより通信装置を縦向きに載置した状態で充電することが可能である。又、前記通信装置のヒンジ部分が通信装置の底面に存在するのではなく、底面から上方へ約２〜３センチメートル離れた位置に存在する為、通信装置を充電器４００の載置穴４０１に載置した状態でも、第２の筐体２００を図７、８中の矢印Ｂ方向に回転させることが可能である。又、第２の筐体２００を図７中矢印Ｂ方向に回転させると、前記第２の筐体２００は充電器４００の前方部分に当接する為、第２の筐体２００を所定の角度（例えば、図７、及び図８に示す第２の筐体の位置）で止めることが可能である。この所定の角度は、ユーザが第２の筐体２００に配置されているテンキー２２０や第１の筐体１００に配置されている通話キー１３０等の各種キーを操作し易い角度である。
【００３４】
この為、通信装置を充電した状態でもユーザは容易に通信装置を操作することが可能である。
【００３５】
以上説明したように、本実施例装置では、通信装置を充電器４００に搭載した状態で第２の筐体２００を開くことが可能である為、ユーザは、充電を行いながらメールの作成操作、データ通信操作等の各種操作を行うことが可能である。
【００３６】
又、第２筐体２００のヒンジ部３００近傍が開放構造となるように開放部２３０が形成されている為、筐体を閉じた際には、前記開放部２３０部分に表示部１２０の一部が露出される。この為、ユーザは筐体を閉じた状態でも表示部１２０の表示を見ることが可能であり、又、着信時に発呼側の電話番号や名称を表示する為の表示部１２０を別途取り付ける必要がない。更に、ヒンジ部３００近傍を開放構造とするように簡単な構造で筐体を閉じた状態でも表示部１２０を見ることが可能な構造となっている為、特許文献１記載の技術のように、第２の筐体２００に表示部１２０を見る為の開口部を設ける必要がない。この為、複雑な金型を生成する必要がなくコストをかけずに折り畳み式通信装置を形成することができるだけでなく、第２の筐体２００内部に配置されている回路基板を複雑な構成にする必要がない。
【００３７】
更に、開放部２３０が存在する為に、筐体を閉じた状態でも第１の筐体１００の通話ボタン１３０や終話ボタン１４０等を操作することが可能である為、筐体を閉じた際に使用するキーを別途設ける必要がない。
【００３８】
又、本実施装置では、筐体を開いた際に第２の筐体２００が第１の筐体１００の上面に対して約１２〜１５度の角度（図５に示すＤの角度）で位置するように、第１の筐体１００に抑制部１８０を形成している。この為、通話を行う為にユーザが筐体を開いた際に、第２の筐体２００に配置されているマイク２１０がユーザの発する音声を拾いやすい位置とすることが可能である。又、前記抑制部１８０が存在し更に前記抑制部１８０が幅広である為に第２筐体のヒンジ部３００近傍部分を折れにくくしている。
【００３９】
尚、本実施例では、携帯電話装置を例に実施したが、折り畳み可能であるとともに筐体を折り畳んだ際に筐体の一部を見ることが可能な折り畳み式通信装置であればこれに限定されない。
【００４０】
【発明の効果】
本発明によれば、充電した状態でも筐体を開いて操作可能とする。
【図面の簡単な説明】
【図１】本実施例装置を開いた状態での外観斜視図である。
【図２】第１の筐体１００の斜視図である。
【図３】第２の筐体２００の斜視図である。
【図４】本実施例装置を閉じた状態での外観斜視図である。
【図５】図１に示す実施例装置の側面図である。
【図６】本実施例装置を充電器４００に載置した状態の正面図である。
【図７】本実施例装置を充電器４００に載置した状態の側面図である。
【図８】本実施例装置を充電器４００に載置した状態の断面図である。
【符号の説明】
１００  第１の筐体
１２０  表示部
１６０  穴部
１８０  抑制部
２００  第２の筐体
２３０  開放部
２４０  突部
【図１】
2004312100.tif 000003
【図２】
2004312100.tif 000004
【図３】
2004312100.tif 000005
【図４】
2004312100.tif 000006
【図５】
2004312100.tif 000007
【図６】
2004312100.tif 000008
【図７】
2004312100.tif 000009
【図８】
2004312100.tif 000010